(57)【要約】【課題】  筐体をコンパクトに構成し、長期に渡り十分な防水性を維持できる屋外機器の防水筐体構造を提供する。【解決手段】  開口部１１ａを有するケース１１と、開口部１１ａを覆うカバー１０とで構成され、ケース１１の内部に屋外機器を収容可能な防水筐体構造であって、ケース１１とカバー１０との間に介装され、ケース１１の開口部１１ａの開口面１１ｇに対して略々平行な方向から、カバー１０のひさし部１０ｃによってケース１１に押圧される第１のパッキン１５と、ケース１１とカバー１０との間に介装され、ケース１１の開口面１１ｇに対して略々直角な方向から、カバー１０の一部によってケース１１に押圧され、第１のパッキン１５とケース１１の内部との間の空間に配置された第２のパッキン１６とを備える防水筐体構造。両パッキン１５、１６の一部をケース１１に形成した溝部１１ｆ等に収容することが好ましい。【選択図】  図３
2007042842.tif 000002
【特許請求の範囲】
【請求項１】
開口部を有するケースと、該開口部を覆うカバーとで構成され、前記ケースの内部に屋外機器を収容可能な防水筐体構造であって、
前記ケースと前記カバーとの間に介装され、該ケースの前記開口部の開口面に対して略々平行な方向から、前記カバーの一部によって前記ケースに押圧される第１のパッキンと、
前記ケースと前記カバーとの間に介装され、該ケースの前記開口部の開口面に対して略々直角な方向から、前記カバーの一部によって前記ケースに押圧され、前記第１のパッキンと前記ケースの内部との間の空間に配置された第２のパッキンとを備えることを特徴とする屋外機器の防水筐体構造。
【請求項２】
前記第１のパッキンの一部又は／及び前記第２のパッキンの一部を、前記ケースに形成した溝部に収容することを特徴とする請求項１に記載の屋外機器の防水筐体構造。
【請求項３】
前記カバーは、前記第１のパッキンを囲繞するひさし部を備えることを特徴とする請求項１又は２に記載の屋外機器の防水筐体構造。
【請求項４】
前記第１のパッキンは、前記ケースに立設されたフランジ部に装着され、該第１のパッキンの自由端部によって、該フランジ部の該第１のパッキンの装着部を囲繞することを特徴とする請求項１又は２に記載の屋外機器の防水筐体構造。
【請求項５】
前記第１のパッキンの取付部と、前記第２のパッキンの取付部との間に溝部を形成したことを特徴とする請求項１乃至４のいずれかに記載の屋外機器の防水筐体構造。
【請求項６】
前記第１のパッキンと前記第２のパッキンとで遮断される空間において、前記ケースと前記カバーとを締結し、防水構造を備えた締結部を備えることを特徴とする請求項１乃至５のいずれかに記載の屋外機器の防水筐体構造。
【発明の詳細な説明】
【技術分野】
【０００１】
本発明は、屋外機器の防水筐体構造に関し、特に、筐体の大型化を防止しながら、防水性を向上させた防水筐体構造に関する。
【背景技術】
【０００２】
従来、屋外に取り付けられた機器の筐体を防水構造とするにあたって、例えば、特許文献１には、箱状のケースの開口部を、蝶番を介して開閉自在な蓋で覆い、蝶番の対向側に備える蓋止め金具により蓋を固着する防水型筐体において、箱状のケースの底面と対向する面が開放され、この開放部周縁が外側に突出するようにフランジ部を備えるケースと、ケースのフランジ部に対向する位置に、防水パッキンを取り付けるための溝を備える開閉蓋とを有し、止め金具により開閉蓋をケースに固着したときに、防水パッキンがフランジ部により押圧され、ケースを密閉する電子機器筐体の防水構造が開示されている。
【０００３】
また、上記と同様の防水構造を提供するにあたって、特許文献２には、電気機器等を雨水から保護する防水カバーを電気機器等の取付枠に取り付けたときに、外側に略々Ｕ字状に折り曲げられた取付枠端部と、防水カバーの裏面との間に介装された第１のパッキン材と、防水カバーの端部と取付枠の外表面との間に介装された第２のパッキン材とで液密性を確保する防水カバーのシール構造が記載されている。
【０００４】
【特許文献１】特開２００２−１３４９４８号公報
【特許文献２】特開平９−２６６６０７号公報
【発明の開示】
【発明が解決しようとする課題】
【０００５】
しかし、上記特許文献１に記載の電子機器筐体の防水構造においては、板金等のケースとカバーとの間にパッキンを配置しただけでは、防水性を維持することは困難であり、また、パッキンの取付け方も、単に貼り付けるだけでは十分な効果を奏するとはいえなかった。
【０００６】
また、上記特許文献２に記載の防水カバーのシール構造においては、外側の第１のパッキンと、内側の第２のパッキンとで２重構造とし、両パッキンの取付け方法を工夫しているが、２重構造を採用することにより筐体が大型化するという問題があった。また、２重構造としても、パッキンの材料は、一般的にはゴムであり、長期に渡る屋外環境によってパッキンが劣化すると、十分な防水性を確保することが困難であるという問題があった。
【０００７】
そこで、本発明は、上記従来の電子機器筐体の防水構造等における問題点に鑑みてなされたものであって、筐体をコンパクトに構成することができるとともに、長期に渡る使用でも十分な防水性を維持することが可能な屋外機器の防水筐体構造を提供することを目的とする。
【課題を解決するための手段】
【０００８】
上記目的を達成するため、本発明は、開口部を有するケースと、該開口部を覆うカバーとで構成され、前記ケースの内部に屋外機器を収容可能な防水筐体構造であって、前記ケースと前記カバーとの間に介装され、該ケースの前記開口部の開口面に対して略々平行な方向から、前記カバーの一部によって前記ケースに押圧される第１のパッキンと、前記ケースと前記カバーとの間に介装され、該ケースの前記開口部の開口面に対して略々直角な方向から、前記カバーの一部によって前記ケースに押圧され、前記第１のパッキンと前記ケースの内部との間の空間に配置された第２のパッキンとを備えることを特徴とする。
【０００９】
そして、本発明によれば、第１のパッキンの装置内部側に第２のパッキンを備えるようにしたため、仮に第１のパッキンを超えて水の侵入があった場合でも、第２のパッキンによってケースの内部に配置された屋外機器への水の侵入を防ぐことができる。これによって、屋外機器の信頼性を向上させることができるとともに、ケース内部への仕上げ処理が不要となるため、ケース自体の価格を抑えることも可能となる。
【００１０】
また、第１のパッキンを、ケースの開口部の開口面に対して略々平行な方向から、ケースに押圧し、第２のパッキンを、ケースの前記開口部の開口面に対して略々直角な方向から、押圧するように構成するため、例えば、同一フランジ部にねじを挟んだ両側に２重にパッキンを装着した場合に比較して全体の防水筐体構造の大きさを抑えることができる。
【００１１】
前記屋外機器の防水筐体構造において、前記第１のパッキンの一部又は／及び前記第２のパッキンの一部を、前記ケースに形成した溝部に収容することができる。これによって、水の浸入経路を迷路状に複雑にすることができ、第１のパッキン又は第２のパッキンが経年変化により材質が劣化した場合でも防水性を確保することができる。
【００１２】
また、前記屋外機器の防水筐体構造において、前記カバーは、前記第１のパッキンを囲繞するひさし部を備えることができる。これによって、第１のパッキンの劣化によって防水性能が低下しても、水の浸入による影響を小さくして第２のパッキンまで及ぼさず、機器の信頼性を維持することができる。
【００１３】
さらに、前記屋外機器の防水筐体構造において、前記第１のパッキンは、前記ケースに立設されたフランジ部に装着され、該第１のパッキンの自由端部によって、該フランジ部の該第１のパッキンの装着部を囲繞することができる。これによって、フランジ部の第１のパッキンの装着部からの水の浸入を防止し、機器の信頼性を維持することができる。
【００１４】
さらにまた、前記屋外機器の防水筐体構造において、前記第１のパッキンの取付部と、前記第２のパッキンの取付部との間に溝部を形成することができる。これによって、水が第１のパッキン等を介して浸入した場合でも、浸入した水が溝を伝わって流れてしまうことで、機器内部への防水対策に対する信頼性を向上させることができる。
【００１５】
また、前記屋外機器の防水筐体構造において、前記第１のパッキンと前記第２のパッキンとで遮断される空間において、前記ケースと前記カバーとを締結し、防水構造を備えた締結部を備えることができる。これによって、第２のパッキンへの水の影響をさらに小さく抑えることができ、屋外機器の信頼性をさらに向上させることができる。
【発明の効果】
【００１６】
以上のように、本発明によれば、筐体構造全体をコンパクトに構成することができるとともに、長期に渡る使用でも十分な防水性を確保することが可能な屋外機器の防水筐体構造を提供することができる。
【発明を実施するための最良の形態】
【００１７】
図１及び図２は、本発明にかかる屋外機器の防水筐体構造（以下、単に「防水筐体構造」という）の第１の実施の形態を示し、この防水筐体構造は、例えば、屋外で使用する電子機器に代表されるような精密機器全般に対する防水筐体構造として利用することができる。
【００１８】
この防水筐体構造は、大別して、開口部１１ａを有するケース１１と、この開口部１１ａを覆うカバー１０との間の防水筐体構造を提供するものであって、ケース１１とカバー１０との間に介装される第１のパッキン１５及び第２のパッキン１６と、両パッキン１５、１６の中間部で、ケース１１とカバー１０とを締結するねじ１等を備える締結部で構成される。
【００１９】
ケース１１は、上述のように、開口部１１ａを有する筐体状に形成され、内部に屋外機器装置を収納する空間を有する。ケース１１の表面には、図３に示すように、２つのフランジ部１１ｂ、１１ｄが立設され、その間に溝部１１ｃが形成される。また、フランジ部１１ｂには、ねじ１の雄ねじ部１ａが挿通可能な貫通孔１１ｅが穿設され、フランジ部１１ｄには、第１のパッキン１５を収容するための溝部１１ｆが形成される。
【００２０】
カバー１０は、図２に示すように、ケース１１の開口部１１ａを覆うとともに、ケース１１の内部に屋外機器装置を収納した後、ケース１１の内部を液密性に維持するために備えられる。カバー１０は、図５に示すように、第２のパッキン１６の突出部１６ｂを収容するための凹部１０ａと、図６に示すように、ねじ１及びサポート５を挿通可能な貫通孔１０ｂと、図３に示すように、ひさし部１０ｃとを備える。ひさし部１０ｃは、フランジ部１１ｄよりさらに右側に突出し、第１のパッキン１５を上方から覆うように形成される。
【００２１】
第１のパッキン１５は、図４に示すように、リング状の基部１５ｂの外側に第１の突出部１５ａを、内側に第２の突出部１５ｃを備え、第２の突出部１５ｃがケース１１の溝部１１ｆに収容される。溝部１１ｆには、固着剤が供給され、第１のパッキン１５がケース１１に固着される。第１の突出部１５ａは、図３に示すように、カバー１０のひさし部１０ｃによって押圧される。
【００２２】
第２のパッキン１６は、図５に示すように、リング状の基部１６ａに突出部１６ｂを備え、突出部１６ｂがカバー１０の凹部１０ａに収容される。凹部１０ａには、固着剤が供給され、第２のパッキン１６がカバー１０に固着される。
【００２３】
ねじ１は、図１に示すように、カバー１０とケース１１とを締結するために複数（図示の例では６本）備えられる。このねじ１は、図６に示すように、雄ねじ部１ａと、軸部１ｂと、首下部１ｃと、頭部１１ｄとからなり、首下部１ｃに、リング状の金具２と、Ｏリング状のパッキン３とが装着される。この首下部１ｃは、パッキン３の内径に合わせて嵌め合わされるように、軸部１ｂより太く形成され、ねじ１を締め付けると、パッキン３が変形して密着性が増加する。軸部１ｂは、サポート５の雌ねじ部５ｂ又はパッキン３の内径より細く形成される。金具２は、ねじ１によってカバー１０とケース１１とを締結する際に、締め付け過ぎを防止するとともに、パッキン３が一定量以上変形しないようにするための十分な強度を有している。
【００２４】
サポート５は、ねじ１をカバー１０の貫通孔１０ｂに挿入する際に用いられるものであって、特に、カバー１０がプラスチックのような柔らかい材質の場合に座屈防止用として好適である。このサポート５は、円筒状の本体５ａに、ねじ１の雄ねじ部１ａに螺合する雌ねじ部５ｂを備える。
【００２５】
次に、上記構成を有する防水筐体構造の動作について、図３乃至図６を参照しながら説明する。
【００２６】
カバー１０とケース１１とは、ねじ１にて締結され、着脱可能に構成される。保守時における作業として、カバー１０の開閉時には、カバー１０側に備えられる第２のパッキン１６が、カバー１０を閉じたときにケース１１のフランジ部１１ｂに圧接され、ケース１１側に備えられる第１のパッキン１５は、カバー１０のひさし部１０ｃにスライド接触し、ねじ１を締め付けることでパッキン３を保持する。
【００２７】
第１のパッキン１５は、外部からケース１１内へ直接影響を及ぼす場所に設置され、雨水等の侵入を防止している。第２のパッキン１６は、水の浸入に関しては補助的な役割をしているが、機器内部の気密性の確保を重点的に担っている。
【００２８】
ここで、第１のパッキン１５をフランジ部１１ｂと同一面上に配置せず、第２のパッキン１６と、パッキンによる防水面が互いに垂直な関係になるように配置し、かつ、第１のパッキン１５をカバー１０が覆うようにしている点が本発明の特徴部分である。すなわち、図２に示すように、第１のパッキン１５は、ケース１１の開口部１１ａの開口面１１ｇに対して平行な方向から、カバー１０のひさし部１０ｃによってケース１１に押圧され、第２のパッキン１６は、開口面１１ｇに対して垂直な方向から、カバー１０によってケース１１に押圧される。これによって、フランジ部１１ｂと同一面上に２つのパッキンを並置した場合に比較して、機器の大きさを抑えることが可能である。
【００２９】
また、保守時におけるカバー１０の脱着作業において、ねじ１は、軸部１ｂが細くなっていることにより、フローティング構造を可能とし、サポート５に備えられる雌ねじ部５ｂにより、容易にねじが脱落することを防止している。さらに、第１のパッキン１５と、ねじ１の首下部１ｃに備える金具２及びパッキン３とを組み合わせることで、第２のパッキン１６への水の浸入を防ぎ、より防水性を向上させることができる。
【００３０】
カバー１０に備えられる第２のパッキン１６は、カバー１０の凹部１０ａに固着材にて保持されるのと、突出部１６ｂによって水の浸入経路を迷路構造としていることから、第２のパッキン１６の固定部からの水の浸入の防止効果を強化している。
【００３１】
ケース１１側の第１のパッキン１５は、図４に示すように、第２の突出部１５ｃを溝部１１ｆに入れ込み、かつ固着剤にて保持することにより、単なる貼付け構造に比較して、より効果的に水の浸入を防止することができる。
【００３２】
また、図３に示すように、カバー１０の貫通孔１０ｂをパッキン１５から十分に離間させることで、パッキン１５が不測の事態により脱落した場合や、経年劣化によって防水性が低下した場合に、水の浸入を防止することができる。
【００３３】
次に、本発明にかかる防水筐体構造の第２の実施の形態について、図７を参照しながら説明する。この防水筐体構造の基本的構成は、上記第１の実施の形態と同様であるが、本実施の形態では、第１のパッキン２０に特徴がある。
【００３４】
この防水筐体構造は、カバー１０側に、ケース１１のフランジ部１１ｄの近傍に固着され、屈曲した第１のパッキン２０を備える。この第１のパッキン２０は、カバー１０と接触する凸部２０ａと、カバー１０の内壁面に固定される固定部２０ｂと、凸部２０ａ及びフランジ部１１ｄより外側に伸びるパッキン部２０ｃを備える。カバー１０がケース１１に固定された状態の時には、図７（ａ）に示すように、パッキン部２０ｃは、凸部２０ａとは反対方向、すなわちケース１１側に反り返り、フランジ部１１ｄを包むような状態を維持している。
【００３５】
保守時におけるカバー１０の開閉時には、第１のパッキン２０の凸部２０ａを支点とし、パッキン部２０ｃがフランジ部１１ｄに当接しながらカバー１０が外れ、図７（ｂ）に示すように、カバー１０の外側に反り返る。
【００３６】
逆に、カバー１０を取り付けるときには、第１のパッキン２０が反り返った状態により取付けが可能である。カバー１０を固定した後で、第１のパッキン２０を元の状態に戻しておく。
【図面の簡単な説明】
【００３７】
【図１】本発明にかかる防水筐体構造の第１の実施の形態を示す正面図である。
【図２】図１の防水筐体構造のＡ−Ａ線断面図である。
【図３】図２の防水筐体構造の拡大図である。
【図４】図２の防水筐体構造の第１のパッキン及びその近傍を示す拡大図である。
【図５】図２の防水筐体構造の第２のパッキン及びその近傍を示す拡大図である。
【図６】図２の防水筐体構造のねじ及びその近傍を示す分解拡大断面図である。
【図７】本発明にかかる防水筐体構造の第２の実施の形態を示す断面図である。
【符号の説明】
【００３８】
１  ねじ
１ａ  雄ねじ部
１ｂ  軸部
１ｃ  首下部
１ｄ  頭部
２  金具
３  パッキン
５  サポート
５ａ  本体
５ｂ  雌ねじ部
１０  カバー
１０ａ  凹部
１０ｂ  貫通孔
１０ｃ  ひさし部
１１  ケース
１１ａ  開口部
１１ｂ  フランジ部
１１ｃ  溝部
１１ｄ  フランジ部
１１ｅ  貫通孔
１１ｆ  溝部
１１ｇ  開口面
１５  第１のパッキン
１５ａ  第１の突出部
１５ｂ  基部
１５ｃ  第２の突出部
１６  第２のパッキン
１６ａ  基部
１６ｂ  突出部
２０  第１のパッキン
２０ａ  凸部
２０ｂ  固定部
２０ｃ  パッキン部
【図１】
2007042842.tif 000003
【図２】
2007042842.tif 000004
【図３】
2007042842.tif 000005
【図４】
2007042842.tif 000006
【図５】
2007042842.tif 000007
【図６】
2007042842.tif 000008
【図７】
2007042842.tif 000009